(57)【要約】【課題】コンデンサの容量値を小さくしてＩＣチップに内蔵でき、かつ、２つの出力信号のレベル差を小さくすることができるπ型同調回路を提供する。【解決手段】コイルＬと２つのコンデンサＣ１，Ｃ２とをπ型に接続して成る同調回路において、コイルＬの一端子に接続される入力容量Ｃinおよび第１のコンデンサＣ１の各容量値を加算した合計容量値と、コイルＬの他端子に接続される第２のコンデンサＣ２の容量値とが同一となるようにすることで（Ｃ２＝Ｃin＋Ｃ１）、コイルＬの一端子側における容量値と他端子側における容量値とが同一となってバランスがとれるようにし、２つのコンデンサＣ１，Ｃ２の容量値を小さくしても、π型同調回路の並列共振点における２つの出力信号のレベル差が小さくなるようにする。【選択図】        図１
2009124190.tif 000002
【特許請求の範囲】
【請求項１】
一端子が一方の出力端子に接続されるとともに、他端子が他方の出力端子に接続されたコイルと、
上記コイルの一端子とグランド端子との間に接続された第１のコンデンサと、
上記コイルの他端子と上記グランド端子との間に接続された第２のコンデンサとを備え、
上記コイルの一端子と入力端子との間に接続された入力容量の容量値および上記第１のコンデンサの容量値を加算した合計容量値と、上記第２のコンデンサの容量値とを同一にしたことを特徴とする同調回路。
【請求項２】
請求項１に記載の同調回路であって目的の周波数帯域に同調した高周波信号を出力する同調回路と、
上記同調回路を通過した高周波信号を中間周波信号に変換する周波数変換回路とを備えたことを特徴とするラジオ受信機。
【請求項３】
請求項１に記載の同調回路であって目的の周波数帯域に同調した高周波信号を出力する同調回路と、
上記同調回路を通過した高周波信号を増幅する高周波増幅回路とを備えたことを特徴とするラジオ受信機。
【発明の詳細な説明】
【技術分野】
【０００１】
本発明は同調回路およびこれを用いたラジオ受信機に関し、特に、コンデンサおよびコイルをπ型に接続して成るπ型同調回路に関するものである。
【背景技術】
【０００２】
ラジオ受信機などの無線受信装置では、目的周波数領域の信号だけを良好に受信し、目的周波数帯域以外の信号から妨害を受けないようにするために、フィルタを使って不要な周波数成分を除去する必要がある。その受信帯域選択フィルタの最も簡単なものとして、同調回路（ＬＣ共振回路）が用いられることがある。この同調回路の中には、コンデンサおよびコイルをπ型に接続して成るπ型同調回路が存在する（例えば、特許文献１参照）。
【特許文献１】特開平９−４６１８２号公報
【０００３】
図６は、従来のπ型同調回路の構成例を示す図である。この図６に示すπ型同調回路は、共振回路１個だけの単同調回路である。図６に示すように、π型同調回路では、コイルＬの一端子がコンデンサＣ１を介してグランド端子ＧＮＤに接地され、他端子がコンデンサＣ２を介して接地されている。一般的に、２つのコンデンサＣ１，Ｃ２は同じ容量値のものが使用される。また、コイルＬの一端子が一方の出力端子ＯＵＴ１に接続され、他端子が他方の出力端子ＯＵＴ２に接続されている。入力端子ＩＮとコイルＬの一端子との間には、入力容量Ｃinおよび信号源抵抗Ｒｓが直列に接続されている。
【０００４】
π型同調回路の２つの出力端子ＯＵＴ１，ＯＵＴ２から出力される信号は、例えばラジオ受信機の次段に相当するミキサ（周波数変換回路）の差動増幅器に入力される。差動増幅器は、２つの入力端子から同一振幅（レベル）の信号（これをコモンモード信号という）が入力された場合には利得を持たないという、コモンモードリジェクションと呼ばれる性質を持つ。
【０００５】
このコモンモードリジェクションの特性を最大限に得るために、π型同調回路の２つの出力端子ＯＵＴ１，ＯＵＴ２から出力される信号が同一レベルとなるようにする必要がある。同一振幅でないと、コモンモードリジェクションの特性が得られなくなり、π型同調回路における２つの出力信号のレベル差が差動増幅器では差動入力になってしまう。そして、このレベル差が増幅されてノイズ特性に影響を与えてしまうからである。
【０００６】
π型同調回路の２つの出力端子ＯＵＴ１，ＯＵＴ２から出力される信号を同一レベルとするために、従来は、２つのコンデンサＣ１，Ｃ２として、入力容量Ｃinに比べて充分に大きな容量値を有するものを使用していた。このように大きな容量値のコンデンサＣ１，Ｃ２を用いれば、入力容量Ｃinの容量値を実質的に無視することが可能となるからである。
【発明の開示】
【発明が解決しようとする課題】
【０００７】
しかしながら、コンデンサＣ１，Ｃ２の容量値を大きくすると、これをＩＣチップに内蔵するのが困難になるという問題があった。ＩＣチップに内蔵できるようにコンデンサＣ１，Ｃ２の容量値を小さくすると、π型同調回路の２つの出力端子ＯＵＴ１，ＯＵＴ２から出力される信号のレベル差は大きくなってしまう。例えば、入力容量Ｃinの容量値が７ｐＦのときに、コンデンサＣ１，Ｃ２の容量値をＣ１＝Ｃ２＝８ｐＦとすると、図７に示すように、π型同調回路の並列共振点における２つの出力信号のレベル差は５ｄＢもの大きさになってしまう。
【０００８】
本発明は、このような問題を解決するために成されたものであり、コンデンサの容量値を小さくしてＩＣチップに内蔵でき、かつ、出力信号のレベル差を小さくすることができるπ型同調回路を提供することを目的とする。
【課題を解決するための手段】
【０００９】
上記した課題を解決するために、本発明では、コイルと２つのコンデンサとをπ型に接続して成る同調回路において、コイルの一端子に接続される入力容量および第１のコンデンサの各容量値を加算した合計容量値と、コイルの他端子に接続される第２のコンデンサの容量値とが同一となるようにした。
【発明の効果】
【００１０】
上記のように構成した本発明によれば、コイルの一端子側に接続される入力容量の容量値も含めて、一端子側における容量値と他端子側における容量値とが同一となってバランスがとられるので、２つのコンデンサの容量値を小さくしても、π型同調回路の並列共振点における２つの出力信号のレベル差を小さく抑えることができる。これにより、同調回路の次段に接続される差動増幅器のコモンモードリジェクションの特性を最大限に引き出すことができ、ノイズ特性を良好なものにすることができる。また、コンデンサの容量値が小さいので、これをＩＣチップに内蔵することもできる。
【発明を実施するための最良の形態】
【００１１】
以下、本発明の一実施形態を図面に基づいて説明する。図１は、本発明の同調回路を実施したπ型同調回路の構成例を示す図である。図１に示すように、本実施形態のπ型同調回路は、一端子が一方の出力端子ＯＵＴ１に接続されるとともに他端子が他方の出力端子ＯＵＴ２に接続されたコイルＬと、コイルＬの一端子とグランド端子ＧＮＤとの間に接続された第１のコンデンサＣ１と、コイルＬの他端子とグランド端子ＧＮＤとの間に接続された第２のコンデンサＣ２とを備えている。
【００１２】
すなわち、図６に示した従来例と同様に、コイルＬの一端子が第１のコンデンサＣ１を介してグランド端子ＧＮＤに接地され、他端子が第２のコンデンサＣ２を介して接地されている。また、コイルＬの一端子が一方の出力端子ＯＵＴ１に接続され、他端子が他方の出力端子ＯＵＴ２に接続されている。入力端子ＩＮとコイルＬ一端子との間には、入力容量Ｃinおよび信号源抵抗Ｒｓが直列に接続されている。
【００１３】
本実施形態では、入力容量Ｃinの容量値および第１のコンデンサＣ１の容量値を加算した合計容量値と、第２のコンデンサＣ２の容量値とがほぼ同一となるようにしている（Ｃin＋Ｃ１≒Ｃ２）。好ましくは、入力容量Ｃinの容量値および第１のコンデンサＣ１の容量値を加算した合計容量値と、第２のコンデンサＣ２の容量値とを完全同一にする（Ｃin＋Ｃ１＝Ｃ２）。
【００１４】
例えば、π型同調回路を約１０４ＭＨｚで共振させたい場合、入力容量Ｃinの容量値が７ｐＦであるとき、第１のコンデンサＣ１の容量値を３ｐＦに設定したとする。この場合、第２のコンデンサＣ２の容量値は、Ｃ２＝７＋３＝１０ｐＦに設定する。このようにすると、コイルＬの一端子側に接続される入力容量Ｃinの容量値も含めて、一端子側における容量値と他端子側における容量値とが同一となってバランスがとれるので、図２に示すように、π型同調回路の並列共振点における２つの出力信号のレベル差は殆どなくなる。
【００１５】
また、π型同調回路を約６２ＭＨｚで共振させたい場合、入力容量Ｃinの容量値が７ｐＦであるとき、第１のコンデンサＣ１の容量値を２１ｐＦに設定したとする。この場合、第２のコンデンサＣ２の容量値は、Ｃ２＝７＋２１＝２８ｐＦに設定する。このようにすると、図３に示すように、π型同調回路の並列共振点における２つの出力信号のレベル差は殆どなくなる。同様に、他の周波数で共振させる場合も、Ｃin＋Ｃ１＝Ｃ２とすることにより、π型同調回路における２つの出力信号のレベル差を無視できるほど小さくすることができる。
【００１６】
図４は、π型同調回路を約６２ＭＨｚで共振させたい場合に、従来のようにＣ１＝Ｃ２（図４の例ではＣ１＝Ｃ２＝２５ｐＦ）とした場合の特性を示す。図７と比べると分かるように、共振周波数が小さくなると出力信号のレベル差も小さくなるが、それでも１ｄＢ以上の無視できないほどの大きな値である。これに対して本実施形態によれば、どの周波数で共振させる場合にも、π型同調回路における２つの出力信号のレベル差を無視できるほど小さくすることができる。
【００１７】
図５は、上記のように構成した本実施形態のπ型同調回路を適用したラジオ受信機の一部（フロントエンド部の）構成例を示す図である。図５において、アンテナ入力部２は、アンテナ１で受信した高周波信号を高周波増幅回路３に入力するものである。このアンテナ入力部２は、アンテナ１とのインピーダンスマッチングをとるための整合回路を備えている。
【００１８】
また、アンテナ入力部２は、目的とする受信周波数帯域以外の妨害信号を排除するためのフィルタ回路（高周波増幅回路３に対して「入力側フィルタ」と呼ぶ）も備えている。入力側フィルタは、イメージ妨害に代表されるスプリアス受信やインタ・モジュレーションを避けるために、受信妨害を引き起こす不要な周波数帯域の信号を排除する。ただし、できるだけ損失を抑えるとともに雑音指数を低くするために、周波数選択性は比較的広帯域なものが用いられる。
【００１９】
高周波増幅回路３は、アンテナ入力部２から入力された高周波信号を増幅し、その結果を受信帯域選択フィルタ４に供給する。受信帯域選択フィルタ４（高周波増幅回路３に対して「出力側フィルタ」と呼ぶ）は、アンテナ入力部２の入力側フィルタに比べて妨害排除能力を高くするために、通過帯域が狭く設定されている。そのため、ここでの損失が大きくなる。そこで、雑音指数を低くするために、受信帯域選択フィルタ４の前段に高周波増幅回路３を設け、所要の感度性能を確保するのに必要なレベルまで高周波信号を増幅する。
【００２０】
受信帯域選択フィルタ４は、目的の周波数帯域の信号だけを良好に受信し、それ以外の周波数帯域の信号から妨害を受けないようにするために、不要な周波数成分を除去する。この受信帯域選択フィルタ４として、本実施形態のπ型同調回路を用いる。例えばＦＭ放送のように目的の受信周波数帯域が広い場合には、周波数選択度の良好な（通過帯域が狭くＱが高い）π型同調回路を用い、目的周波数に合わせて同調周波数を可変にする方式が理想的である。
【００２１】
ミキサ５は、図示しない発振回路から与えられる局部発振周波数の信号を用いて、受信帯域選択フィルタ４を通過した目的受信周波数の高周波信号を、中間周波信号（ＩＦ信号）に変換する。ミキサ５の次段には、図示しないＩＦ段の構成が接続される。
【００２２】
なお、ここでは本実施形態のπ型同調回路を受信帯域選択フィルタ４（出力側フィルタ）に用いる例について説明したが、アンテナ入力部２（入力側フィルタ）に用いても良い。
【００２３】
以上詳しく説明したように、本実施形態によれば、２つのコンデンサＣ１，Ｃ２の容量値を小さくしても、π型同調回路の並列共振点における２つの出力信号のレベル差を１ｄＢ以下の極めて小さな値に抑えることができる。これにより、２つのコンデンサＣ１，Ｃ２をＣＭＯＳ（Complementary Metal Oxide Semiconductor）等のＩＣチップに内蔵することができ、かつ、π型同調回路の次段に接続される差動増幅器のコモンモードリジェクションの特性を最大限に引き出すことができ、ノイズ特性を良好なものにすることができる。
【００２４】
なお、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２５】
本発明のπ型同調回路は、例えばラジオ受信機などの無線受信装置において、目的周波数帯域の信号だけを良好に受信して不要な周波数成分を除去する目的のフィルタとして利用することが可能である。
【図面の簡単な説明】
【００２６】
【図１】本発明の同調回路を実施したπ型同調回路の構成例を示す図である。
【図２】本実施形態によるπ型同調回路の共振特性を示す図である。
【図３】本実施形態によるπ型同調回路の共振特性を示す図である。
【図４】従来のπ型同調回路の共振特性を示す図である。
【図５】本実施形態π型同調回路を適用したラジオ受信機の一部構成例を示す図である。
【図６】従来のπ型同調回路の構成例を示す図である。
【図７】従来のπ型同調回路の共振特性を示す図である。
【符号の説明】
【００２７】
２  アンテナ入力部（入力側フィルタ）
３  高周波増幅器
４  受信帯域選択フィルタ（出力側フィルタ）
５  ミキサ
Ｌ  コイル
Ｃ１，Ｃ２  コンデンサ
Ｃin  入力容量
【図１】
2009124190.tif 000003
【図２】
2009124190.tif 000004
【図３】
2009124190.tif 000005
【図４】
2009124190.tif 000006
【図５】
2009124190.tif 000007
【図６】
2009124190.tif 000008
【図７】
2009124190.tif 000009